(57)【要約】【課題】壁面に的確に取り付けることができ、壁面からの落下のおそれが低いと共に、見栄えを向上することが可能な花差し部材の提供を目的とする。【解決手段】本発明の花差し部材は、取付対象物である壁面に取付可能な取付部と、この取付部の前面側に設けられる筒状の花差し部とを備える。上記取付部が、画鋲の針部を背面側に突出させた状態でこの画鋲の頭部を係止可能な凹部から形成されているとよい。上記凹部が上下方向に沿った溝から構成され、溝の下端が開口し、溝の上端が閉鎖されているとよい。上記取付部は磁石であってもよい。上記花差し部が、前面部、両側面部及び後面部を有する四角筒状に設けられ、上記取付部が、上記後面部に凹設されているとよい。上記前面部が、後面部よりも面積が大きいとよい。【選択図】図１
2016154602.tif 000002
【特許請求の範囲】
【請求項１】
取付対象物である壁面に取付可能な取付部と、この取付部の前面側に設けられる筒状の花差し部とを備える花差し部材。
【請求項２】
上記取付部が、画鋲の針部を背面側に突出させた状態でこの画鋲の頭部を係止可能な凹部から形成されている請求項１に記載の花差し部材。
【請求項３】
上記凹部が上下方向に沿った溝から構成され、溝の下端が開口し、溝の上端が閉鎖されている請求項２に記載の花差し部材。
【請求項４】
上記取付部が磁石である請求項１に記載の花差し部材。
【請求項５】
上記花差し部が、前面部、両側面部及び後面部を有する四角筒状に設けられ、
上記取付部が、上記後面部に凹設されている請求項１、請求項２又は請求項３に記載の花差し部材。
【請求項６】
上記前面部が、後面部よりも面積が大きい請求項５に記載の花差し部材。
【発明の詳細な説明】
【技術分野】
【０００１】
本発明は、花差し部材に関する。
【背景技術】
【０００２】
従来、生花、生け花等を生けるために花瓶が用いられている。このような花瓶は、通常机や棚等に置いた状態で用いられる。
【０００３】
一方、生花や生け花等によって壁を装飾したい場合には、花瓶を保持可能な花瓶ホルダーが用いられる。また、このような花瓶ホルダーとしては、例えば「花瓶ホルダー」（特開２００２−２９１５９４号公報）が発案されている。
【０００４】
この公報所載の花瓶ホルダーは、壁面に対向する連結板に吸盤が取り付けられており、この吸盤によって壁面に取付可能に構成されている。
【０００５】
しかしながら、このような花瓶ホルダーを用いる場合、この花瓶ホルダーは、花瓶の重みに加えて花瓶ホルダー自体の重みを支えなくてはならないため、これらの重みに耐え兼ねて壁面から落下するおそれが高くなる。
【０００６】
また、例えばこのような花瓶ホルダーのサイズに比べて花瓶のサイズが小さい場合には、この花瓶ホルダーから花瓶が脱落するおそれもある。さらに、このような花瓶ホルダーは、花瓶とは別個に設けられるものであるため、花瓶の外面の色彩との調和を取り難く、見栄えが悪くなるおそれもある。
【先行技術文献】
【特許文献】
【０００７】
【特許文献１】特開２００２−２９１５９４号公報
【発明の概要】
【発明が解決しようとする課題】
【０００８】
本発明は、このような事情に鑑みてなされたものであり、壁面に的確に取り付けることができ、壁面からの落下のおそれが低いと共に、見栄えを向上することが可能な花差し部材の提供を目的とするものである。
【課題を解決するための手段】
【０００９】
上記課題を解決するためになされた本発明に係る花差し部材は、取付対象物である壁面に取付可能な取付部と、この取付部の前面側に設けられる筒状の花差し部とを備える。
【００１０】
当該花差し部材は、筒状の花差し部を備えるので、この花差し部に生花や生け花等を生けることができる。また、当該花差し部材は、取付部によって壁面に取り付けることができるので、別途花瓶ホルダーを用いる必要がない。そのため、当該花差し部材は、取付部によって支える重量を軽くすることができるため、壁面に取り付けた状態での落下のおそれが低い。さらに、当該花差し部材は、上述のように別途花瓶ホルダーを用いる必要がないため、壁面に取り付けた状態での見栄えを向上することができる。
【００１１】
上記取付部が、画鋲の針部を背面側に突出させた状態でこの画鋲の頭部を係止可能な凹部から形成されているとよい。上記取付部がこのような凹部から形成されることによって、画鋲を用いて壁面に容易に取り付けることができる。また、かかる構成によれば、ビス等により壁面に大きな穴を開ける必要がないので、壁面の損傷を防止することができる。
【００１２】
上記凹部が上下方向に沿った溝から構成され、溝の下端が開口し、溝の上端が閉鎖されているとよい。このように、上記凹部が上下方向に沿った溝から構成され、溝の下端が開口し、溝の上端が閉鎖されていることによって、壁面に画鋲を差し込んだ状態で上記溝を下端側から画鋲の頭部に係止するようにスライドさせることによって、容易かつ確実に壁面に取り付けることができる。また、かかる構成によれば、壁面の上下方向に複数の画鋲を差し込んでおくことで、複数の画鋲によってさらに確実に壁面に取り付けることができる。さらに、このように複数の画鋲を用いて取り付ける場合、壁面に取り付けた状態におけるぐらつきを防止することができる。
【００１３】
また、上記取付部は磁石であってもよい。上記取付部が磁石であることによって、例えば冷蔵庫、スチール製の玄関ドア、スチール製の書類棚等の壁面に容易に取り付けることができる。
【００１４】
上記花差し部が、前面部、両側面部及び後面部を有する四角筒状に設けられ、上記取付部が上記後面部に凹設されているとよい。このように、上記花差し部が、前面部、両側面部及び後面部を有する四角筒状に設けられ、上記取付部が上記後面部に凹設されていることによって、上記後面部と壁面とが当接した状態で取り付けることができるので、取付状態での安定性が格段に向上される。また、かかる構成によると、部品点数の増加を抑えてコストを抑えることができると共に、取付部が別途設けられることに起因する意匠性の低下を防止することができる。
【００１５】
上記前面部が、後面部よりも面積が大きいとよい。このように、上記前面部が後面部よりも面積が大きいことによって、取扱性を向上することができると共に、意匠性を高めることができる。
【００１６】
なお、本明細書中において「壁面」とは、建築物や工作物の壁面の他、例えばフェンス等の設置物の表面や、冷蔵庫等の電化製品の表面、机、棚等の家具の表面のように、面状の広がりを有する部分を含む概念である。なお、「面状」とは、必ずしも平面状である必要はなく、曲面状であってもよい。
【発明の効果】
【００１７】
以上説明したように、本発明に係る花差し部材は、壁面に的確に取り付けることができ、壁面からの落下のおそれが小さいと共に、見栄えを向上することができる。
【図面の簡単な説明】
【００１８】
【図１】本発明の第一実施形態に係る花差し部材の上側から見た模式的斜視図である。
【図２】図１の花差し部材の下側から見た模式的斜視図である。
【図３】図１の花差し部材の模式図であって、（ａ）は背面図、（ｂ）は底面図である。
【図４】図１の花差し部材の壁面への取付手順を示す模式的説明図である。
【図５】図１の花差し部材の壁面への取り付けに用いられる画鋲を示す模式的側面図である。
【図６】図５の画鋲を用いた取付構造を示す説明図である。
【図７】壁面に取り付けた図１の花差し部材に花を生けた状態を示す模式的斜視図である。
【図８】図１の花差し部材とは異なる実施形態に係る花差し部材を示す模式的背面図である。
【図９】図１，８の花差し部材とは異なる実施形態に係る花差し部材を示す模式的斜視図である。
【発明を実施するための形態】
【００１９】
以下、適宜図面を参照しつつ、本発明の実施の形態を詳説する。
【００２０】
［第一実施形態］
＜花差し部材＞
図１及び図２の花差し部材１は、花差し部２と、取付部３とを備える。
【００２１】
（花差し部）
花差し部２は、後述する取付部３の前面側に設けられる。花差し部２は、筒状に形成される。具体的には、花差し部２は、前面部４、両側面部５ａ，５ｂ、及び後面部６を有する四角筒状に設けられている。また、花差し部２は、前面部４、両側面部５ａ，５ｂ、及び後面部６の下端側を閉塞する底面部７を有する。つまり、花差し部２は、前面部４、両側面部５ａ，５ｂ、後面部６及び底面部７によって有底筒状に構成されている。
【００２２】
花差し部２の形成材料としては、例えば針葉樹、広葉樹等の木材、ポリエチレン、ポリエステル、ポリカーボネート等の合成樹脂、鉄、銅、真鍮、アルミニウム、ステンレス等の金属などが挙げられる。中でも、花差し部２の形成材料としては、後述する取付部３を形成した場合でも強度の低下が抑えられると共に比較的軽量な木材が好ましい。また、上記木材としては、無垢材が好ましい。当該花差し部材１は、花差し部２を地元の無垢材を用いて形成することによって、地産地消を促進できる可能性がある。
【００２３】
花差し部２が木材から形成される場合、この花差し部２は、例えば一体的に形成された両側面部５ａ、５ｂ、後面部６及び底面部７と、この両側面部５ａ、５ｂ、後面部６及び底面部７とは別途形成された前面部４とを連結することで構成される。詳細には、花差し部２は、両側面部５ａ，５ｂ、後面部６及び底面部７を一本の原木から切り出して支持部８として形成したうえ、この支持部８の前端を別途形成した板状の前面部４の背面と連結することによって構成される。当該花差し部材１は、このように花差し部２が支持部８及び前面部４の２つのピースから形成されることによって、ピース間の連結箇所を少なくして強度を高めることができる。なお、支持部８と前面部４との連結方法としては、特に限定されるものではなく、例えば接着剤による接着や、ビスや釘等による連結等が挙げられる。
【００２４】
花差し部２は、前面部４が後面部６よりも面積が大きい。つまり、花差し部２は、板状に形成される前面部４の平面面積が後面部６の背面側の平面面積よりも大きい。当該花差し部材１は、このように前面部４が後面部６よりも面積が大きいので、前面部４と支持部８とを容易かつ確実に連結することができる。また、当該花差し部材１は、前面部４が後面部６よりも面積が大きいことによって、取扱性を向上することができると共に、意匠性を高めることができる。
【００２５】
支持部８の上下方向長さの下限としては、５ｃｍが好ましく、１０ｃｍがより好ましく、１２ｃｍがさらに好ましい。一方、支持部８の上下方向長さの上限としては、２５ｃｍが好ましく、２０ｃｍがより好ましく、１８ｃｍがさらに好ましい。支持部８の上下方向長さが上記下限に満たないと、花差し部２内に花を安定的に生け難くなるおそれがある。逆に、支持部８の上下方向長さが上記上限を超えると、当該花差し部材１が不必要に大きくなり、重量が増すと共に取扱性が低下するおそれがある。
【００２６】
支持部８の前後方向長さの下限としては、１．５ｃｍが好ましく、２ｃｍがより好ましい。一方、支持部８の前後方向長さの上限としては、３．５ｃｍが好ましく、２．８ｃｍがより好ましい。支持部８の前後方向長さが上記下限に満たないと、花差し部２内に花を生け難くなるおそれがある。逆に、支持部８の前後方向長さが上記上限を超えると、当該花差し部材１が不必要に大きくなり、重量が増すと共に取扱性が低下するおそれがある。
【００２７】
両側面部５ａ、５ｂの平均厚みの下限としては、２ｍｍが好ましく、３ｍｍがより好ましい。一方、両側面部５ａ，５ｂの平均厚みの上限としては、１ｃｍが好ましく、６ｍｍがより好ましい。両側面部５ａ，５ｂの平均厚みが上記下限に満たないと、花差し部２の強度が十分に得られないおそれがある。逆に、両側面部５ａ，５ｂの平均厚みが上記上限を超えると、当該花差し部材１が不必要に大きくなり、重量が増すと共に取扱性が低下するおそれがある。
【００２８】
後面部６の平均厚みの下限としては、７ｍｍが好ましく、８ｍｍがより好ましい。一方、後面部６の平均厚みの上限としては、１．５ｃｍが好ましく、１．１ｃｍがより好ましい。後面部６の平均厚みが上記下限に満たないと、後述する取付部３を形成し難くなるおそれがある。逆に、後面部６の平均厚みが上記上限を超えると、当該花差し部材１が不必要に大きくなり、重量が増すと共に取扱性が低下するおそれがある。
【００２９】
花差し部２の開口深さの下限としては、４ｃｍが好ましく、５ｃｍがより好ましく、６ｃｍがさらに好ましい。一方、花差し部２の開口深さの上限としては、２０ｃｍが好ましく、１８ｃｍがより好ましく、１５ｃｍがさらに好ましい。花差し部２の開口深さが上記下限に満たないと、花差し部２内に花を生け難くなるおそれがある。逆に、花差し部２の開口深さが上記上限を超えると、当該花差し部材１が不必要に大きくなり、重量が増すと共に取扱性が低下するおそれがある。これに対し、花差し部２の開口深さを上記範囲内とすることによって、花差し部２内での花のバランスを保ち、花の見栄えを向上することができる。
【００３０】
（取付部）
取付部３は、当該花差し部材１を取付対象物である壁面に取付可能に構成される。取付部３は、画鋲の針部を背面側に突出させた状態でこの画鋲の頭部を係止可能な凹部から形成されている。具体的には、取付部３は、上記凹部が上下方向に沿った溝から構成され、図３（ａ），（ｂ）に示すように、この溝の下端９が開口し、この溝の上端１０が閉鎖されている。また、上記凹部の中心軸は花差し部２の中心軸と平行に配設されている。
【００３１】
取付部３は、後面部６に凹設されている。具体的には、取付部３は、図３（ａ），（ｂ）に示すように、後面部６の下端からこの後面部６の軸方向の上側に伸びる開口１１と、この開口１１から前面側に連続して形成され、この開口１１よりも幅広かつ上方に突出する係止部１２とを有する。
【００３２】
開口１１の幅Ｗ１の下限としては、３ｍｍが好ましく、５ｍｍがより好ましい。一方、開口１１の幅Ｗ１の上限としては、１．５ｃｍが好ましく、１ｃｍがより好ましい。開口１１の幅Ｗ１が上記下限に満たないと、画鋲の針部を背面側に突出した状態で画鋲の頭部を取付部３に挿入し難くなると共に、取付部３の成形が困難になるおそれがある。逆に、開口１１の幅Ｗ１が上記上限を超えると、取付部３に画鋲の頭部を係止し難くなるおそれがある。なお、開口１１の幅Ｗ１は、上下方向に変化してもよいが、画鋲の頭部を的確に係止する点からは、均一であることが好ましい。
【００３３】
開口１１の深さＤ１の下限としては、１ｍｍが好ましく１．５ｍｍがより好ましい。一方、開口１１の深さＤ１の上限としては、５ｍｍが好ましく、３ｍｍがより好ましい。開口１１の深さＤ１が上記下限に満たないと、取付部３の強度が十分に得られないおそれがある。逆に、開口１１の深さＤ１が上記上限を超えると、画鋲の針部を壁面に十分に差し込むことができなくなるおそれがある。
【００３４】
係止部１２の幅Ｗ２の下限としては、１ｃｍが好ましく、１．２ｃｍがより好ましい。一方、係止部１２の幅Ｗ２の上限としては、２．５ｃｍが好ましく、２ｃｍがより好ましい。係止部１２の幅Ｗ２が上記下限に満たないと、画鋲の頭部を係止し難くなるおそれがある。逆に、係止部１２の幅Ｗ２が上記上限を超えると、係止部１２の側縁と後面部６の側端との間の長さが十分に取れず、係止部１２の側縁と後面部６の側端との間の強度が低下してこの部分が破損するおそれがある。なお、係止部１２の幅Ｗ２は、上下方向に変化してもよいが、画鋲の頭部を的確に係止する点からは、均一であることが好ましい。また、開口１１の中心軸と係止部１２の中心軸とは一致するのが好ましい。
【００３５】
係止部１２の深さＤ２の下限としては、２ｍｍが好ましく、３ｍｍがより好ましい。一方、係止部１２の深さＤ２の上限としては、６ｍｍが好ましく、５ｍｍがより好ましい。係止部１２の深さＤ２が上記下限に満たないと、画鋲の頭部を係止部１２に挿入し難くなるおそれがある。逆に、係止部１２の深さＤ２が上記上限を超えると、係止部１２内で画鋲の頭部がぐらつくおそれがあり、当該花差し部材１を壁面に取り付けた際の安定性が低下するおそれがある。
【００３６】
開口１１の上端は、後面部６の上下方向中央位置よりも上方に位置するのが好ましく、後面部６の上側１／３の位置よりも上方に位置するのがより好ましく、後面部６の上側１／４の位置よりも上方に位置するのがさらに好ましい。このように、開口１１の上端が、後面部６の上方に位置することによって、取付部３に画鋲を係止することによって当該花差し部材１を安定的に壁面に取り付けることができる。なお、開口１１の上端は、後面部６の上端よりも下方である限り、後面部６の上方のどの位置まで形成されてもよい。
【００３７】
＜花差し部材の取付手順＞
次に、図４を参照して、当該花差し部材１の壁面への取付手順について説明する。
【００３８】
まず、図４（ａ）に示すように、当該花差し部材１を取り付ける壁面に上下方向に１又は複数の画鋲Ａを差し込む。なお、本実施形態では画鋲Ａを２個差し込む場合を例示するが、壁面に差し込む画鋲Ａの数は、１個でもよく、３個以上でもよい。ただし、壁面に取り付けた状態での当該花差し部材１のぐらつきを防止する点からは複数の画鋲Ａを差し込む方が好ましい。
【００３９】
なお、壁面に差し込む画鋲Ａとしては、特に限定されるものではなく、一般に市販されている画鋲を用いることができる。ただし、当該花差し部材１においては、図５（ａ）に示すように、頭部１０１が、支持部１０２と、この支持部１０２の一方の面側に配設され、支持部１０１よりも径の小さい突出部１０３とを有し、この突出部１０３から一方側に針部１０４が突出する構成のものが好適に用いられる。なお、画鋲Ａにおいて、支持部１０２の径は開口１１の幅Ｗ１よりも大きく、かつ係止部１２の幅Ｗ２よりも小さく形成されている。さらに、突出部１０３の径は開口１１の幅Ｗ１以下とされ、好ましくは開口１１の幅Ｗ１よりも０．５ｍｍ以上１．５ｍｍ以下に小さく形成されている。
【００４０】
次に、図４（ｂ）に示すように、当該花差し部材１の係止部１２に画鋲Ａの支持部１０２を挿入するよう、当該花差し部材１を壁面に沿って上方から下方にスライドする。
【００４１】
これにより、図４（ｃ）に示すように、画鋲Ａの支持部１０２が係止部１２に係止された状態で、当該花差し部材１が壁面に取り付けられる。
【００４２】
なお、本実施形態では、画鋲Ａの頭部１０１が支持部１０２及び突出部１０３を有するので、図６に示すように、支持部１０２が係止部１２によって係止され、かつ突出部１０３が開口１１に嵌り込むことで、当該花差し部材１が壁面に的確に固定される。
【００４３】
当該花差し部材１は、このように壁面に取り付けた状態で、花差し部２に花を生けることで、図７に示すように、壁面に花を飾ることができる。なお、当該花差し部材１は、必ずも上述の手順によって壁面に取り付けられる必要はなく、例えば１又は複数の画鋲Ａを係止部１２によって係止した状態でこれらの画鋲Ａを壁面に差し込んでもよい。
【００４４】
＜利点＞
当該花差し部材１は、筒状の花差し部２を備えるので、この花差し部２に生花や生け花等を生けることができる。また、当該花差し部材１は、取付部３によって壁面に取り付けることができるので、別途花瓶ホルダーを用いる必要がない。そのため、当該花差し部材１は、取付部３によって支える重量を軽くすることができるため、壁面に取り付けた状態での落下のおそれが低い。さらに、当該花差し部材１は、上述のように別途花瓶ホルダーを用いる必要がないため、壁面に取り付けた状態での見栄えを向上することができる。
【００４５】
当該花差し部材１は、取付部３が画鋲Ａの針部１０４を背面側に突出させた状態でこの画鋲Ａの頭部１０１を係止可能な凹部から形成されることによって、画鋲Ａを用いて壁面に容易に取り付けることができる。また、かかる構成によれば、ビス等によって壁面に大きな穴を開ける必要がないので、壁面の損傷を防止することができる。
【００４６】
当該花差し部材１は、上記凹部が上下方向に沿った溝から構成され、溝の下端９が開口し、溝の上端１０が閉鎖されていることによって、壁面に画鋲Ａを差し込んだ状態で上記溝を下端側から画鋲Ａの頭部１０１に係止するようにスライドさせることによって、容易かつ確実に壁面に取り付けることができる。また、かかる構成によれば、壁面の上下方向に複数の画鋲Ａを差し込んでおくことで、複数の画鋲Ａによってさらに確実に壁面に取り付けることができる。さらに、このように複数の画鋲Ａを用いて取り付ける場合、壁面に取り付けた状態におけるぐらつきを防止することができる。
【００４７】
当該花差し部材１は、花差し部２が、前面部４、両側面部５ａ，５ｂ及び後面部６を有する四角筒状に設けられ、取付部３が後面部６に凹設されていることによって、後面部６と壁面とが当接した状態で取り付けることができるので、取付状態での安定性が格段に向上される。また、かかる構成によると、部品点数の増加を抑えてコストを抑えることができると共に、取付部３が別途設けられることに起因する意匠性の低下を防止することができる。
【００４８】
また、当該花差し部材１及び上記構成を有する１又は複数の画鋲Ａを備える花差し部材セットは、上述のように支持部１０２が係止部１２によって係止され、かつ突出部１０３が開口１１に嵌り込むことで、当該花差し部材１を壁面に的確に固定することができる。
【００４９】
［その他の実施形態］
なお、本発明に係る花差し部材は、上記態様の他、種々の変更、改変を施した態様で実施することができる。例えば上記取付部は、必ずしも凹部から形成される必要はなく、図８に示す花差し部材２１のように、１又は複数の磁石２２であってもよい。このような磁石２２は、例えば後面部２３の背面側に接着剤等によって取り付けることができる。当該花差し部材２１は、上記取付部が磁石２２であることによって、例えば冷蔵庫、スチール製の玄関ドア、書類棚等の壁面に容易に取り付けることができる。
【００５０】
当該花差し部材は、上記取付部が凹部から構成される場合であっても、この凹部の中心軸は必ずしも上記花差し部の中心軸と平行に配設される必要はなく、例えば花差し部の中心軸に対して傾斜して配設されてもよい。また、上記凹部は下端から上端にかけて湾曲していてもよい。
【００５１】
当該花差し部材は、上記取付部が凹部から構成される場合であっても、この凹部は必ずしも後面部に凹設されている必要はなく、花差し部とは別体として形成されたうえ、後面部に接着剤やビス等によって連結されてもよい。
【００５２】
上記花差し部は、必ずしも四角筒状に形成される必要はなく、例えば円筒状等であってもよい。また、上記花差し部は、必ずしも有底筒状に形成される必要はなく、上端から下端に至る貫通孔を内部に有してもよい。
【００５３】
当該花差し部材は、必ずしも前面部の面積が後面部の面積よりも大きい必要はなく、例えば前面部と後面部とが同一面積であってもよく、前面部の面積の方が後面部の面積よりも小さくてもよい。
【００５４】
また、当該花差し部材３１は、図９に示すように、花差し部３２に挿入される有底筒状の水受部材３３を備えていてもよい。この水受部材３３の主成分としては、例えば合成樹脂や金属が挙げられ、中でも軽量化を促進可能な合成樹脂が好ましい。当該花差し部材３１は、このような水受部材３３を有することによって、例えば花差し部３２が木材から構成される場合であっても、水受部材３３に水を入れたうえ、この水受部材３３に生花を生けることが容易となる。
【産業上の利用可能性】
【００５５】
以上のように、本発明に係る花差し部材は、壁面に的確に取り付けることができ、壁面からの落下のおそれが低いと共に、見栄えを向上することができる。
【符号の説明】
【００５６】
１，２１，３１  花差し部材
２，３２  花差し部
３  取付部
４  前面部
５ａ，５ｂ  側面部
６，２３  後面部
７  底面部
８  支持部
９  下端
１０  上端
１１  開口
１２  係止部
２２  磁石
３３  水受部材
１０１  頭部
１０２  支持部
１０３  突出部
１０４  針部
Ａ  画鋲
【図１】
2016154602.tif 000003
【図２】
2016154602.tif 000004
【図３】
2016154602.tif 000005
【図４】
2016154602.tif 000006
【図５】
2016154602.tif 000007
【図６】
2016154602.tif 000008
【図７】
2016154602.tif 000009
【図８】
2016154602.tif 000010
【図９】
2016154602.tif 000011